(57)【要約】      （修正有）【課題】柱状部が柱状部よりも暗く見えてしまうのを抑制する。【解決手段】光軸1'と角度をなす光源1からの光が入射する入射面を導光レンズ3のブロックに形成した照明装置100において、ブロックの入射面から導光された光を出射する柱状部を導光レンズ3に形成し、柱状部よりも光軸1'から離れている柱状部の外径側端部に入射するための光源1からの光が光軸1'となす角度と、その内径側端部に入射するための光源1からの光が光軸1'となす角度との差分を、柱状部の外径側端部に入射するための光源1からの光が光軸1'となす角度と、その内径側端部に入射するための光源1からの光が光軸1'となす角度との差分より小さくした。【選択図】図１
2012119267.tif 000002
【特許請求の範囲】
【請求項１】
光源（１）と、導光レンズ（３）とを具備し、
導光レンズ（３）の入射側表面（３−１）から導光レンズ（１）に入射した光源（１）からの光の少なくとも一部分が、導光レンズ（３）の出射側表面（３−２）から出射する照明装置（１００）において、
光源（１）から照射される光と光源（１）の光軸（１’）とがなす角度が大きくなるに従って光源（１）から照射される光の光度が低くなる光源（１）を用い、
光源（１）の光軸（１’）を含む複数の平面によって、導光レンズ（３）を第１から第ｎ（ｎは２以上の整数）のブロック（３ａ，３ｂ，３ｃ，３ｄ，３ｅ，３ｆ，３ｇ，３ｈ，３ｉ，３ｊ，３ｋ，３ｍ）に仮想分割し、
光源（１）の光軸（１’）と第１の角度（θａ１，θｂ１，θｃ１，θｄ１，θｅ１，θｆ１，θｇ１，θｈ１，θｉ１，θｊ１，θｋ１，θｍ１）をなして光源（１）から照射された光が入射する第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）を各ブロック（３ａ，３ｂ，３ｃ，３ｄ，３ｅ，３ｆ，３ｇ，３ｈ，３ｉ，３ｊ，３ｋ，３ｍ）に形成し、
各ブロック（３ａ，３ｂ，３ｃ，３ｄ，３ｅ，３ｆ，３ｇ，３ｈ，３ｉ，３ｊ，３ｋ，３ｍ）の第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）を透過した光源（１）からの光が光源（１）の光軸（１’）に概略平行な光になるように、光源（１）の光軸（１’）を中心に曲線（ａｂ）を３６０°回転させることにより得られる回転面によって各ブロック（３ａ，３ｂ，３ｃ，３ｄ，３ｅ，３ｆ，３ｇ，３ｈ，３ｉ，３ｊ，３ｋ，３ｍ）の第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）を構成し、
各ブロック（３ａ，３ｂ，３ｃ，３ｄ，３ｅ，３ｆ，３ｇ，３ｈ，３ｉ，３ｊ，３ｋ，３ｍ）の第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）からの光の少なくとも一部を導光する第１柱状部（３−２ａ１）を導光レンズ（３）の出射側表面（３−２）に形成し、
光源（１）の光軸（１’）と第１の角度（θａ１，θｂ１，θｃ１，θｄ１，θｅ１，θｆ１，θｇ１，θｈ１，θｉ１，θｊ１，θｋ１，θｍ１）より大きい第２の角度（θａ２）をなして光源（１）から照射された光、および、光源（１）の光軸（１’）と第２の角度（θａ２）より大きい第３の角度（θｂ３）をなして光源（１）から照射された光が入射する第２入射面（３ａ１ｂ，３ｂ１ｂ，３ｃ１ｂ，３ｄ１ｂ，３ｅ１ｂ，３ｆ１ｂ，３ｇ１ｂ，３ｈ１ｂ，３ｉ１ｂ，３ｊ１ｂ，３ｋ１ｂ，３ｍ１ｂ）を各ブロック（３ａ，３ｂ，３ｃ，３ｄ，３ｅ，３ｆ，３ｇ，３ｈ，３ｉ，３ｊ，３ｋ，３ｍ）に形成し、
光源（１）の光軸（１’）を中心に曲線または直線（ｂｃ）を３６０°回転させることにより得られる回転面によって各ブロック（３ａ，３ｂ，３ｃ，３ｄ，３ｅ，３ｆ，３ｇ，３ｈ，３ｉ，３ｊ，３ｋ，３ｍ）の第２入射面（３ａ１ｂ，３ｂ１ｂ，３ｃ１ｂ，３ｄ１ｂ，３ｅ１ｂ，３ｆ１ｂ，３ｇ１ｂ，３ｈ１ｂ，３ｉ１ｂ，３ｊ１ｂ，３ｋ１ｂ，３ｍ１ｂ）を構成し、
光源（１）の光軸（１’）と第２の角度（θａ２）をなして光源（１）から照射され、第１ブロック（３ａ）の第２入射面（３ａ１ｂ）を透過した光を光源（１）の光軸（１’）方向に反射する反射面（３ａ２ａ）を第１ブロック（３ａ）に形成し、
光源（１）の光軸（１’）を中心に直線または曲線（ｄｅ）を、第１ブロック（３ａ）の中心角（θ３ａ）に相当する角度だけ回転させることにより得られる回転面によって第１ブロック（３ａ）の反射面（３ａ２ａ）を構成し、
第１ブロック（３ａ）の反射面（３ａ２ａ）からの光の少なくとも一部を導光する第２柱状部（３−２ａ２）を導光レンズ（３）の出射側表面（３−２）に形成し、
第２柱状部（３−２ａ２）によって導光された光を照明装置（１００）の照射方向に出射する先端面（３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８）を第２柱状部（３−２ａ２）の先端部（３−２ａ２ａ）に形成し、
光源（１）の光軸（１’）と第３の角度（θｂ３）をなして光源（１）から照射され、第１ブロック（３ａ）に隣接する第２ブロック（３ｂ）の第２入射面（３ｂ１ｂ）を透過した光を光源（１）の光軸（１’）方向に反射する反射面（３ｂ２ｂ）を第２ブロック（３ｂ）に形成し、
第１ブロック（３ａ）の反射面（３ａ２ａ）よりも光源（１）の光軸（１’）から近い位置に第２ブロック（３ｂ）の反射面（３ｂ２ｂ）を配置し、
光源（１）の光軸（１’）を中心に直線または曲線（ｊｋ）を、第２ブロック（３ｂ）の中心角（θ３ｂ）に相当する角度だけ回転させることにより得られる回転面によって第２ブロック（３ｂ）の反射面（３ｂ２ｂ）を構成し、
第２ブロック（３ｂ）の反射面（３ｂ２ｂ）からの光の少なくとも一部を導光する第３柱状部（３−２ａ５）を導光レンズ（３）の出射側表面（３−２）に形成し、
第２柱状部（３−２ａ２）よりも光源（１）の光軸（１’）から近い位置に第３柱状部（３−２ａ５）を配置し、
第３柱状部（３−２ａ５）によって導光された光を照明装置（１００）の照射方向に出射する先端面（３−２ａ５ａ１，３−２ａ５ａ２，３−２ａ５ａ３，３−２ａ５ａ４，３−２ａ５ａ５）を第３柱状部（３−２ａ５）の先端部（３−２ａ５ａ）に形成し、
第２柱状部（３−２ａ２）の外径側端部（３−２ａ２ｂｏｕｔ）に入射するために光源（１）から照射される光が光源（１）の光軸（１’）となす角度θａ２ａと、第２柱状部（３−２ａ２）の内径側端部（３−２ａ２ｂｉｎ）に入射するために光源（１）から照射される光が光源（１）の光軸（１’）となす角度θａ２ｂとの差分（θａ２ｂ−θａ２ａ）が、
第３柱状部（３−２ａ５）の外径側端部（３−２ａ５ｂｏｕｔ）に入射するために光源（１）から照射される光が光源（１）の光軸（１’）となす角度θｂ３ａと、第３柱状部（３−２ａ５）の内径側端部（３−２ａ５ｂｉｎ）に入射するために光源（１）から照射される光が光源（１）の光軸（１’）となす角度θｂ３ｂとの差分（θｂ３ｂ−θｂ３ａ）よりも小さくなるように、
第２柱状部（３−２ａ２）および第３柱状部（３−２ａ５）を形成したことを特徴とする照明装置（１００）。
【請求項２】
第２柱状部（３−２ａ２）の先端部（３−２ａ２ａ）を複数の異なる先端面（３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８）によって構成し、
第３柱状部（３−２ａ５）の先端部（３−２ａ５ａ）を複数の異なる先端面（３−２ａ５ａ１，３−２ａ５ａ２，３−２ａ５ａ３，３−２ａ５ａ４，３−２ａ５ａ５）によって構成し、
第２柱状部（３−２ａ２）よりも光源（１）の光軸（１’）から近い位置に配置された第３柱状部（３−２ａ５）の先端面（３−２ａ５ａ１，３−２ａ５ａ２，３−２ａ５ａ３，３−２ａ５ａ４，３−２ａ５ａ５）の数を、第２柱状部（３−２ａ２）の先端面（３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８）の数よりも少なくしたことを特徴とする請求項１に記載の照明装置（１００）。
【請求項３】
第１柱状部（３−２ａ１）の先端部（３−２ａ１ａ）を第２柱状部（３−２ａ２）の先端部（３−２ａ２ａ）および第３柱状部（３−２ａ５）の先端部（３−２ａ５ａ）よりも突出させ、
第１柱状部（３−２ａ１）の先端部（３−２ａ１ａ）を凹状に形成し、
導光レンズ（３）の周囲にリフレクタ（４）を配置し、
第１柱状部（３−２ａ１）によって導光された光源（１）からの光の少なくとも一部が、第１柱状部（３−２ａ１）の先端部（３−２ａ１ａ）によって反射され、第１柱状部（３−２ａ１）の側面部（３−２ａ１ｂ）を透過し、リフレクタ（４）によって反射され、概略光源（１）の光軸（１’）方向に照射されることを特徴とする請求項１又は２に記載の照明装置（１００）。
【発明の詳細な説明】
【技術分野】
【０００１】
本発明は、導光レンズの入射側表面から導光レンズに入射した光源からの光が、導光レンズの出射側表面に形成された複数の柱状部から出射する照明装置に関する。
【０００２】
特に、本発明は、光源の光軸からの距離が互いに異なる位置に導光レンズの複数の柱状部を配置することができる照明装置に関する。
【０００３】
更に、本発明は、光源の光軸方向から導光レンズを見た時に、光源の光軸から近い位置に配置され、弱い光が出射する柱状部の先端部が、光源の光軸から離れた位置に配置され、強い光が出射する柱状部の先端部よりも暗く見えてしまうのを抑制することができる照明装置に関する。
【背景技術】
【０００４】
従来から、導光レンズの入射側表面から導光レンズに入射した光源からの光が、導光レンズの出射側表面に形成された複数の柱状部から出射する照明装置（灯具）が知られている。この種の照明装置（灯具）の例としては、例えば特許文献１（特開２００６−２４４９２３号公報）の段落００３８、図４および図５に記載されたものがある。
【０００５】
特許文献１の段落００３８、図４および図５に記載された照明装置（灯具）では、光源の光軸を含む複数の平面によって、導光レンズが６個のブロックに仮想分割されている。更に、光源の光軸と小さい角度をなして光源から照射された光が入射する第１入射面と、第１入射面からの光を出射する第１出射面とが、導光レンズのうち、光源の光軸上の部分に形成されている。また、光源の光軸と大きい角度をなして光源から照射された光が入射する第２入射面が第１入射面の周りに形成されている。
【０００６】
詳細には、特許文献１の段落００３８、図４および図５に記載された照明装置（灯具）では、第２入射面からの光を６個のブロックの柱状部に導光するための複数の反射面が、それぞれのブロックに形成されている。更に、柱状部によって導光された光を照明装置（灯具）の照射方向に出射する先端面が、各柱状部の先端部に形成されている。
【先行技術文献】
【特許文献】
【０００７】
【特許文献１】特開２００６−２４４９２３号公報
【発明の概要】
【発明が解決しようとする課題】
【０００８】
ところで、特許文献１の段落００３８、図４および図５に記載された照明装置（灯具）では、導光レンズの複数の柱状部が光源の光軸から等距離の位置に配置されている。仮に、光源の光軸からの距離が互いに異なる位置に複数の柱状部を配置すると、ある柱状部の先端部から出射するために光源から照射された光が光源の光軸となす角度が、他の柱状部の先端部から出射するために光源から照射された光が光源の光軸となす角度よりも大きくなり、その結果、ある柱状部の先端部から弱い光が出射し、他の柱状部の先端部から強い光が出射することになる。
【０００９】
つまり、仮に、光源の光軸からの距離が互いに異なる位置に複数の柱状部を配置すると、光源の光軸方向から導光レンズを見た時に、弱い光が出射する柱状部の先端部が、強い光が出射する柱状部の先端部よりも暗く見えてしまうおそれがある。
【００１０】
前記問題点に鑑み、本発明は、光源の光軸方向から導光レンズを見た時に、光源の光軸から近い位置に配置され、弱い光が出射する柱状部の先端部が、光源の光軸から離れた位置に配置され、強い光が出射する柱状部の先端部よりも暗く見えてしまうのを抑制することができる照明装置を提供することを目的とする。
【課題を解決するための手段】
【００１１】
請求項１に記載の発明によれば、光源（１）と、導光レンズ（３）とを具備し、
導光レンズ（３）の入射側表面（３−１）から導光レンズ（１）に入射した光源（１）からの光の少なくとも一部分が、導光レンズ（３）の出射側表面（３−２）から出射する照明装置（１００）において、
光源（１）から照射される光と光源（１）の光軸（１’）とがなす角度が大きくなるに従って光源（１）から照射される光の光度が低くなる光源（１）を用い、
光源（１）の光軸（１’）を含む複数の平面によって、導光レンズ（３）を第１から第ｎ（ｎは２以上の整数）のブロック（３ａ，３ｂ，３ｃ，３ｄ，３ｅ，３ｆ，３ｇ，３ｈ，３ｉ，３ｊ，３ｋ，３ｍ）に仮想分割し、
光源（１）の光軸（１’）と第１の角度（θａ１，θｂ１，θｃ１，θｄ１，θｅ１，θｆ１，θｇ１，θｈ１，θｉ１，θｊ１，θｋ１，θｍ１）をなして光源（１）から照射された光が入射する第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）を各ブロック（３ａ，３ｂ，３ｃ，３ｄ，３ｅ，３ｆ，３ｇ，３ｈ，３ｉ，３ｊ，３ｋ，３ｍ）に形成し、
各ブロック（３ａ，３ｂ，３ｃ，３ｄ，３ｅ，３ｆ，３ｇ，３ｈ，３ｉ，３ｊ，３ｋ，３ｍ）の第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）を透過した光源（１）からの光が光源（１）の光軸（１’）に概略平行な光になるように、光源（１）の光軸（１’）を中心に曲線（ａｂ）を３６０°回転させることにより得られる回転面によって各ブロック（３ａ，３ｂ，３ｃ，３ｄ，３ｅ，３ｆ，３ｇ，３ｈ，３ｉ，３ｊ，３ｋ，３ｍ）の第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）を構成し、
各ブロック（３ａ，３ｂ，３ｃ，３ｄ，３ｅ，３ｆ，３ｇ，３ｈ，３ｉ，３ｊ，３ｋ，３ｍ）の第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）からの光の少なくとも一部を導光する第１柱状部（３−２ａ１）を導光レンズ（３）の出射側表面（３−２）に形成し、
光源（１）の光軸（１’）と第１の角度（θａ１，θｂ１，θｃ１，θｄ１，θｅ１，θｆ１，θｇ１，θｈ１，θｉ１，θｊ１，θｋ１，θｍ１）より大きい第２の角度（θａ２）をなして光源（１）から照射された光、および、光源（１）の光軸（１’）と第２の角度（θａ２）より大きい第３の角度（θｂ３）をなして光源（１）から照射された光が入射する第２入射面（３ａ１ｂ，３ｂ１ｂ，３ｃ１ｂ，３ｄ１ｂ，３ｅ１ｂ，３ｆ１ｂ，３ｇ１ｂ，３ｈ１ｂ，３ｉ１ｂ，３ｊ１ｂ，３ｋ１ｂ，３ｍ１ｂ）を各ブロック（３ａ，３ｂ，３ｃ，３ｄ，３ｅ，３ｆ，３ｇ，３ｈ，３ｉ，３ｊ，３ｋ，３ｍ）に形成し、
光源（１）の光軸（１’）を中心に曲線または直線（ｂｃ）を３６０°回転させることにより得られる回転面によって各ブロック（３ａ，３ｂ，３ｃ，３ｄ，３ｅ，３ｆ，３ｇ，３ｈ，３ｉ，３ｊ，３ｋ，３ｍ）の第２入射面（３ａ１ｂ，３ｂ１ｂ，３ｃ１ｂ，３ｄ１ｂ，３ｅ１ｂ，３ｆ１ｂ，３ｇ１ｂ，３ｈ１ｂ，３ｉ１ｂ，３ｊ１ｂ，３ｋ１ｂ，３ｍ１ｂ）を構成し、
光源（１）の光軸（１’）と第２の角度（θａ２）をなして光源（１）から照射され、第１ブロック（３ａ）の第２入射面（３ａ１ｂ）を透過した光を光源（１）の光軸（１’）方向に反射する反射面（３ａ２ａ）を第１ブロック（３ａ）に形成し、
光源（１）の光軸（１’）を中心に直線または曲線（ｄｅ）を、第１ブロック（３ａ）の中心角（θ３ａ）に相当する角度だけ回転させることにより得られる回転面によって第１ブロック（３ａ）の反射面（３ａ２ａ）を構成し、
第１ブロック（３ａ）の反射面（３ａ２ａ）からの光の少なくとも一部を導光する第２柱状部（３−２ａ２）を導光レンズ（３）の出射側表面（３−２）に形成し、
第２柱状部（３−２ａ２）によって導光された光を照明装置（１００）の照射方向に出射する先端面（３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８）を第２柱状部（３−２ａ２）の先端部（３−２ａ２ａ）に形成し、
光源（１）の光軸（１’）と第３の角度（θｂ３）をなして光源（１）から照射され、第１ブロック（３ａ）に隣接する第２ブロック（３ｂ）の第２入射面（３ｂ１ｂ）を透過した光を光源（１）の光軸（１’）方向に反射する反射面（３ｂ２ｂ）を第２ブロック（３ｂ）に形成し、
第１ブロック（３ａ）の反射面（３ａ２ａ）よりも光源（１）の光軸（１’）から近い位置に第２ブロック（３ｂ）の反射面（３ｂ２ｂ）を配置し、
光源（１）の光軸（１’）を中心に直線または曲線（ｊｋ）を、第２ブロック（３ｂ）の中心角（θ３ｂ）に相当する角度だけ回転させることにより得られる回転面によって第２ブロック（３ｂ）の反射面（３ｂ２ｂ）を構成し、
第２ブロック（３ｂ）の反射面（３ｂ２ｂ）からの光の少なくとも一部を導光する第３柱状部（３−２ａ５）を導光レンズ（３）の出射側表面（３−２）に形成し、
第２柱状部（３−２ａ２）よりも光源（１）の光軸（１’）から近い位置に第３柱状部（３−２ａ５）を配置し、
第３柱状部（３−２ａ５）によって導光された光を照明装置（１００）の照射方向に出射する先端面（３−２ａ５ａ１，３−２ａ５ａ２，３−２ａ５ａ３，３−２ａ５ａ４，３−２ａ５ａ５）を第３柱状部（３−２ａ５）の先端部（３−２ａ５ａ）に形成し、
第２柱状部（３−２ａ２）の外径側端部（３−２ａ２ｂｏｕｔ）に入射するために光源（１）から照射される光が光源（１）の光軸（１’）となす角度θａ２ａと、第２柱状部（３−２ａ２）の内径側端部（３−２ａ２ｂｉｎ）に入射するために光源（１）から照射される光が光源（１）の光軸（１’）となす角度θａ２ｂとの差分（θａ２ｂ−θａ２ａ）が、
第３柱状部（３−２ａ５）の外径側端部（３−２ａ５ｂｏｕｔ）に入射するために光源（１）から照射される光が光源（１）の光軸（１’）となす角度θｂ３ａと、第３柱状部（３−２ａ５）の内径側端部（３−２ａ５ｂｉｎ）に入射するために光源（１）から照射される光が光源（１）の光軸（１’）となす角度θｂ３ｂとの差分（θｂ３ｂ−θｂ３ａ）よりも小さくなるように、
第２柱状部（３−２ａ２）および第３柱状部（３−２ａ５）を形成したことを特徴とする照明装置（１００）が提供される。
【００１２】
請求項２に記載の発明によれば、第２柱状部（３−２ａ２）の先端部（３−２ａ２ａ）を複数の異なる先端面（３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８）によって構成し、
第３柱状部（３−２ａ５）の先端部（３−２ａ５ａ）を複数の異なる先端面（３−２ａ５ａ１，３−２ａ５ａ２，３−２ａ５ａ３，３−２ａ５ａ４，３−２ａ５ａ５）によって構成し、
第２柱状部（３−２ａ２）よりも光源（１）の光軸（１’）から近い位置に配置された第３柱状部（３−２ａ５）の先端面（３−２ａ５ａ１，３−２ａ５ａ２，３−２ａ５ａ３，３−２ａ５ａ４，３−２ａ５ａ５）の数を、第２柱状部（３−２ａ２）の先端面（３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８）の数よりも少なくしたことを特徴とする請求項１に記載の照明装置（１００）が提供される。
【００１３】
請求項３に記載の発明によれば、第１柱状部（３−２ａ１）の先端部（３−２ａ１ａ）を第２柱状部（３−２ａ２）の先端部（３−２ａ２ａ）および第３柱状部（３−２ａ５）の先端部（３−２ａ５ａ）よりも突出させ、
第１柱状部（３−２ａ１）の先端部（３−２ａ１ａ）を凹状に形成し、
導光レンズ（３）の周囲にリフレクタ（４）を配置し、
第１柱状部（３−２ａ１）によって導光された光源（１）からの光の少なくとも一部が、第１柱状部（３−２ａ１）の先端部（３−２ａ１ａ）によって反射され、第１柱状部（３−２ａ１）の側面部（３−２ａ１ｂ）を透過し、リフレクタ（４）によって反射され、概略光源（１）の光軸（１’）方向に照射されることを特徴とする請求項１又は２に記載の照明装置（１００）が提供される。
【発明の効果】
【００１４】
請求項１に記載の照明装置（１００）では、光源（１）と導光レンズ（３）とが設けられている。更に、導光レンズ（３）の入射側表面（３−１）から導光レンズ（１）に入射した光源（１）からの光の少なくとも一部分が、導光レンズ（３）の出射側表面（３−２）から出射する。
【００１５】
詳細には、請求項１に記載の照明装置（１００）では、光源（１）から照射される光と光源（１）の光軸（１’）とがなす角度が大きくなるに従って光源（１）から照射される光の光度が低くなる光源（１）が用いられている。また、光源（１）の光軸（１’）を含む複数の平面によって、導光レンズ（３）を第１から第ｎ（ｎは２以上の整数）のブロック（３ａ，３ｂ，３ｃ，３ｄ，３ｅ，３ｆ，３ｇ，３ｈ，３ｉ，３ｊ，３ｋ，３ｍ）に仮想分割されている。更に、光源（１）の光軸（１’）と第１の角度（θａ１，θｂ１，θｃ１，θｄ１，θｅ１，θｆ１，θｇ１，θｈ１，θｉ１，θｊ１，θｋ１，θｍ１）をなして光源（１）から照射された光が入射する第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）が各ブロック（３ａ，３ｂ，３ｃ，３ｄ，３ｅ，３ｆ，３ｇ，３ｈ，３ｉ，３ｊ，３ｋ，３ｍ）に形成されている。
【００１６】
また、請求項１に記載の照明装置（１００）では、各ブロック（３ａ，３ｂ，３ｃ，３ｄ，３ｅ，３ｆ，３ｇ，３ｈ，３ｉ，３ｊ，３ｋ，３ｍ）の第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）を透過した光源（１）からの光が光源（１）の光軸（１’）に概略平行な光になるように、光源（１）の光軸（１’）を中心に曲線（ａｂ）を３６０°回転させることにより得られる回転面によって各ブロック（３ａ，３ｂ，３ｃ，３ｄ，３ｅ，３ｆ，３ｇ，３ｈ，３ｉ，３ｊ，３ｋ，３ｍ）の第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）が構成されている。更に、各ブロック（３ａ，３ｂ，３ｃ，３ｄ，３ｅ，３ｆ，３ｇ，３ｈ，３ｉ，３ｊ，３ｋ，３ｍ）の第１入射面（３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ）からの光の少なくとも一部を導光する第１柱状部（３−２ａ１）が導光レンズ（３）の出射側表面（３−２）に形成されている。
【００１７】
更に、請求項１に記載の照明装置（１００）では、光源（１）の光軸（１’）と第１の角度（θａ１，θｂ１，θｃ１，θｄ１，θｅ１，θｆ１，θｇ１，θｈ１，θｉ１，θｊ１，θｋ１，θｍ１）より大きい第２の角度（θａ２）をなして光源（１）から照射された光、および、光源（１）の光軸（１’）と第２の角度（θａ２）より大きい第３の角度（θｂ３）をなして光源（１）から照射された光が入射する第２入射面（３ａ１ｂ，３ｂ１ｂ，３ｃ１ｂ，３ｄ１ｂ，３ｅ１ｂ，３ｆ１ｂ，３ｇ１ｂ，３ｈ１ｂ，３ｉ１ｂ，３ｊ１ｂ，３ｋ１ｂ，３ｍ１ｂ）が各ブロック（３ａ，３ｂ，３ｃ，３ｄ，３ｅ，３ｆ，３ｇ，３ｈ，３ｉ，３ｊ，３ｋ，３ｍ）に形成されている。また、光源（１）の光軸（１’）を中心に曲線または直線（ｂｃ）を３６０°回転させることにより得られる回転面によって各ブロック（３ａ，３ｂ，３ｃ，３ｄ，３ｅ，３ｆ，３ｇ，３ｈ，３ｉ，３ｊ，３ｋ，３ｍ）の第２入射面（３ａ１ｂ，３ｂ１ｂ，３ｃ１ｂ，３ｄ１ｂ，３ｅ１ｂ，３ｆ１ｂ，３ｇ１ｂ，３ｈ１ｂ，３ｉ１ｂ，３ｊ１ｂ，３ｋ１ｂ，３ｍ１ｂ）が構成されている。
【００１８】
また、請求項１に記載の照明装置（１００）では、光源（１）の光軸（１’）と第２の角度（θａ２）をなして光源（１）から照射され、第１ブロック（３ａ）の第２入射面（３ａ１ｂ）を透過した光を光源（１）の光軸（１’）方向に反射する反射面（３ａ２ａ）が第１ブロック（３ａ）に形成されている。更に、光源（１）の光軸（１’）を中心に直線または曲線（ｄｅ）を、第１ブロック（３ａ）の中心角（θ３ａ）に相当する角度だけ回転させることにより得られる回転面によって第１ブロック（３ａ）の反射面（３ａ２ａ）が構成されている。
【００１９】
更に、請求項１に記載の照明装置（１００）では、第１ブロック（３ａ）の反射面（３ａ２ａ）からの光の少なくとも一部を導光する第２柱状部（３−２ａ２）が導光レンズ（３）の出射側表面（３−２）に形成されている。また、第２柱状部（３−２ａ２）によって導光された光を照明装置（１００）の照射方向に出射する先端面（３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８）が第２柱状部（３−２ａ２）の先端部（３−２ａ２ａ）に形成されている。
【００２０】
また、請求項１に記載の照明装置（１００）では、光源（１）の光軸（１’）と第３の角度（θｂ３）をなして光源（１）から照射され、第１ブロック（３ａ）に隣接する第２ブロック（３ｂ）の第２入射面（３ｂ１ｂ）を透過した光を光源（１）の光軸（１’）方向に反射する反射面（３ｂ２ｂ）が第２ブロック（３ｂ）に形成されている。更に、第１ブロック（３ａ）の反射面（３ａ２ａ）よりも光源（１）の光軸（１’）から近い位置に第２ブロック（３ｂ）の反射面（３ｂ２ｂ）が配置されている。また、光源（１）の光軸（１’）を中心に直線または曲線（ｊｋ）を、第２ブロック（３ｂ）の中心角（θ３ｂ）に相当する角度だけ回転させることにより得られる回転面によって第２ブロック（３ｂ）の反射面（３ｂ２ｂ）が構成されている。
【００２１】
更に、請求項１に記載の照明装置（１００）では、第２ブロック（３ｂ）の反射面（３ｂ２ｂ）からの光の少なくとも一部を導光する第３柱状部（３−２ａ５）が導光レンズ（３）の出射側表面（３−２）に形成されている。また、第２柱状部（３−２ａ２）よりも光源（１）の光軸（１’）から近い位置に第３柱状部（３−２ａ５）が配置されている。
【００２２】
つまり、請求項１に記載の照明装置（１００）では、光源（１）の光軸（１’）からの距離が互いに異なる位置に複数の柱状部（３−２ａ２，３−２ａ５）が配置されている。
【００２３】
また、請求項１に記載の照明装置（１００）では、第３柱状部（３−２ａ５）によって導光された光を照明装置（１００）の照射方向に出射する先端面（３−２ａ５ａ１，３−２ａ５ａ２，３−２ａ５ａ３，３−２ａ５ａ４，３−２ａ５ａ５）が第３柱状部（３−２ａ５）の先端部（３−２ａ５ａ）に形成されている。
【００２４】
詳細には、請求項１に記載の照明装置（１００）では、第２柱状部（３−２ａ２）の外径側端部（３−２ａ２ｂｏｕｔ）に入射するために光源（１）から照射される光が光源（１）の光軸（１’）となす角度θａ２ａと、第２柱状部（３−２ａ２）の内径側端部（３−２ａ２ｂｉｎ）に入射するために光源（１）から照射される光が光源（１）の光軸（１’）となす角度θａ２ｂとの差分（θａ２ｂ−θａ２ａ）が、第３柱状部（３−２ａ５）の外径側端部（３−２ａ５ｂｏｕｔ）に入射するために光源（１）から照射される光が光源（１）の光軸（１’）となす角度θｂ３ａと、第３柱状部（３−２ａ５）の内径側端部（３−２ａ５ｂｉｎ）に入射するために光源（１）から照射される光が光源（１）の光軸（１’）となす角度θｂ３ｂとの差分（θｂ３ｂ−θｂ３ａ）よりも小さくなるように、第２柱状部（３−２ａ２）および第３柱状部（３−２ａ５）が形成されている。
【００２５】
そのため、請求項１に記載の照明装置（１００）によれば、光源（１）の光軸（１’）方向から導光レンズ（３）を見た時に、光源（１）の光軸（１’）から近い位置に配置され、弱い光が出射する第３柱状部（３−２ａ５）の先端部（３−２ａ５ａ）が、光源（１）の光軸（１’）から離れた位置に配置され、強い光が出射する第２柱状部（３−２ａ２）の先端部（３−２ａ２ａ）よりも暗く見えてしまうのを抑制することができる。
【００２６】
請求項２に記載の照明装置（１００）では、第２柱状部（３−２ａ２）の先端部（３−２ａ２ａ）が複数の異なる先端面（３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８）によって構成されている。また、第３柱状部（３−２ａ５）の先端部（３−２ａ５ａ）が複数の異なる先端面（３−２ａ５ａ１，３−２ａ５ａ２，３−２ａ５ａ３，３−２ａ５ａ４，３−２ａ５ａ５）によって構成されている。更に、第２柱状部（３−２ａ２）よりも光源（１）の光軸（１’）から近い位置に配置された第３柱状部（３−２ａ５）の先端面（３−２ａ５ａ１，３−２ａ５ａ２，３−２ａ５ａ３，３−２ａ５ａ４，３−２ａ５ａ５）の数が、第２柱状部（３−２ａ２）の先端面（３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８）の数よりも少なくされている。
【００２７】
そのため、請求項２に記載の照明装置（１００）によれば、光源（１）の光軸（１’）方向から導光レンズ（３）を見た時に、第２柱状部（３−２ａ２）の先端部（３−２ａ２ａ）の１個の先端面（３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８）の明るさと、第３柱状部（３−２ａ５）の先端部（３−２ａ５ａ）の１個の先端面（３−２ａ５ａ１，３−２ａ５ａ２，３−２ａ５ａ３，３−２ａ５ａ４，３−２ａ５ａ５）の明るさとが概略等しくなるようにすることができる。
【００２８】
請求項３に記載の照明装置（１００）では、第１柱状部（３−２ａ１）の先端部（３−２ａ１ａ）が第２柱状部（３−２ａ２）の先端部（３−２ａ２ａ）および第３柱状部（３−２ａ５）の先端部（３−２ａ５ａ）よりも突出せしめられている。更に、第１柱状部（３−２ａ１）の先端部（３−２ａ１ａ）が凹状に形成されている。また、導光レンズ（３）の周囲にリフレクタ（４）が配置されている。更に、第１柱状部（３−２ａ１）によって導光された光源（１）からの光の少なくとも一部が、第１柱状部（３−２ａ１）の先端部（３−２ａ１ａ）によって反射され、第１柱状部（３−２ａ１）の側面部（３−２ａ１ｂ）を透過し、リフレクタ（４）によって反射され、概略光源（１）の光軸（１’）方向に照射される。
【００２９】
そのため、請求項３に記載の照明装置（１００）によれば、リフレクタ（４）が設けられていない場合や、光源（１）の光軸（１’）方向からリフレクタ（４）を見た時にリフレクタ（４）が光って見えない場合よりも、光源（１）の光軸（１’）方向から照明装置（１００）を見た時に、光って見える部分の直径を大きくすることができる。
【図面の簡単な説明】
【００３０】
【図１】第１の実施形態の照明装置１００を概略的に示した図である。
【図２】第１の実施形態の照明装置１００の一部を構成する導光レンズ３を説明するための図である。
【図３】第１の実施形態の照明装置１００の一部を構成する導光レンズ３を説明するための図である。
【図４】第１の実施形態の照明装置１００の一部を構成する導光レンズ３を説明するための図である。
【図５】第１の実施形態の照明装置１００の一部を構成する導光レンズ３を説明するための図である。
【図６】第１の実施形態の照明装置１００の一部を構成する導光レンズ３を説明するための図である。
【図７】第１の実施形態の照明装置１００の一部を構成する導光レンズ３を説明するための図である。
【図８】第１の実施形態の照明装置１００の一部を構成する導光レンズ３を説明するための図である。
【図９】第１の実施形態の照明装置１００の一部を構成する導光レンズ３を説明するための図である。
【図１０】図４（Ｃ）に示す断面内における導光レンズ３のブロック３ａ，３ｇおよびリフレクタ４の反射面４ａによって導光される光源１からの光Ｌ１ａ，Ｌ１ｇ，Ｌ２，Ｌ３，Ｌ１４，Ｌ１５の光路を示した図である。
【図１１】図５（Ｃ）に示す断面内における導光レンズ３のブロック３ｂ，３ｈおよびリフレクタ４の反射面４ａによって導光される光源１からの光Ｌ１ｂ，Ｌ１ｈ，Ｌ４，Ｌ５，Ｌ１６，Ｌ１７の光路を示した図である。
【図１２】図６（Ｃ）に示す断面内における導光レンズ３のブロック３ｃ，３ｉおよびリフレクタ４の反射面４ａによって導光される光源１からの光Ｌ１ｃ，Ｌ１ｉ，Ｌ６，Ｌ７，Ｌ１８，Ｌ１９の光路を示した図である。
【図１３】図７（Ｃ）に示す断面内における導光レンズ３のブロック３ｄ，３ｊおよびリフレクタ４の反射面４ａによって導光される光源１からの光Ｌ１ｄ，Ｌ１ｊ，Ｌ８，Ｌ９，Ｌ２０，Ｌ２１の光路を示した図である。
【図１４】図８（Ｃ）に示す断面内における導光レンズ３のブロック３ｅ，３ｋおよびリフレクタ４の反射面４ａによって導光される光源１からの光Ｌ１ｅ，Ｌ１ｋ，Ｌ１０，Ｌ１１，Ｌ２２，Ｌ２３の光路を示した図である。
【図１５】図９（Ｃ）に示す断面内における導光レンズ３のブロック３ｆ，３ｍおよびリフレクタ４の反射面４ａによって導光される光源１からの光Ｌ１ｆ，Ｌ１ｍ，Ｌ１２，Ｌ１３，Ｌ２４，Ｌ２５の光路を示した図である。
【図１６】図２（Ａ）の一部を拡大して示した図である。
【図１７】導光レンズ３のブロック３ａの反射面３ａ２ａおよび柱状部３−２ａ２を詳細に説明するための図４（Ｃ）と同様の断面図である。
【図１８】導光レンズ３のブロック３ｂの反射面３ｂ２ｂおよび柱状部３−２ａ５を詳細に説明するための図５（Ｃ）と同様の断面図である。
【発明を実施するための形態】
【００３１】
図１は第１の実施形態の照明装置１００を概略的に示した図である。詳細には、図１（Ａ）は第１の実施形態の照明装置１００の正面図である。図１（Ｂ）は図１（Ａ）のＡ−Ａ線に沿った断面図である。図１（Ｃ）は図１（Ａ）のＢ−Ｂ線に沿った断面図である。詳細には、図１（Ｂ）および図１（Ｃ）は光源１の光軸１’を含む第１の実施形態の照明装置１００の断面図である。
【００３２】
図２〜図９は第１の実施形態の照明装置１００の一部を構成する導光レンズ３を説明するための図である。詳細には、図２（Ａ）は導光レンズ３の正面図、図２（Ｂ）は導光レンズ３の右側面図、図２（Ｃ）は導光レンズ３の後側面図、図３は導光レンズ３の斜視図である。図４（Ａ）導光レンズ３の一部を構成するブロック３ａ，３ｇの正面図、図４（Ｂ）はブロック３ａ，３ｇの後側面図、図４（Ｃ）は図４（Ａ）のＣ−Ｃ線に沿った断面図である。図５（Ａ）導光レンズ３の一部を構成するブロック３ｂ，３ｈの正面図、図５（Ｂ）はブロック３ｂ，３ｈの後側面図、図５（Ｃ）は図５（Ａ）のＤ−Ｄ線に沿った断面図である。図６（Ａ）導光レンズ３の一部を構成するブロック３ｃ，３ｉの正面図、図６（Ｂ）はブロック３ｃ，３ｉの後側面図、図６（Ｃ）は図６（Ａ）のＥ−Ｅ線に沿った断面図である。図７（Ａ）導光レンズ３の一部を構成するブロック３ｄ，３ｊの正面図、図７（Ｂ）はブロック３ｄ，３ｊの後側面図、図７（Ｃ）は図７（Ａ）のＦ−Ｆ線に沿った断面図である。図８（Ａ）導光レンズ３の一部を構成するブロック３ｅ，３ｋの正面図、図８（Ｂ）はブロック３ｅ，３ｋの後側面図、図８（Ｃ）は図８（Ａ）のＧ−Ｇ線に沿った断面図である。図９（Ａ）導光レンズ３の一部を構成するブロック３ｆ，３ｍの正面図、図９（Ｂ）はブロック３ｆ，３ｍの後側面図、図９（Ｃ）は図９（Ａ）のＨ−Ｈ線に沿った断面図である。
【００３３】
図１０は図４（Ｃ）に示す断面内における導光レンズ３のブロック３ａ，３ｇおよびリフレクタ４（図１参照）の反射面４ａによって導光される光源１からの光Ｌ１ａ，Ｌ１ｇ，Ｌ２，Ｌ３，Ｌ１４，Ｌ１５の光路を示した図である。図１１は図５（Ｃ）に示す断面内における導光レンズ３のブロック３ｂ，３ｈおよびリフレクタ４（図１参照）の反射面４ａによって導光される光源１からの光Ｌ１ｂ，Ｌ１ｈ，Ｌ４，Ｌ５，Ｌ１６，Ｌ１７の光路を示した図である。図１２は図６（Ｃ）に示す断面内における導光レンズ３のブロック３ｃ，３ｉおよびリフレクタ４（図１参照）の反射面４ａによって導光される光源１からの光Ｌ１ｃ，Ｌ１ｉ，Ｌ６，Ｌ７，Ｌ１８，Ｌ１９の光路を示した図である。図１３は図７（Ｃ）に示す断面内における導光レンズ３のブロック３ｄ，３ｊおよびリフレクタ４（図１参照）の反射面４ａによって導光される光源１からの光Ｌ１ｄ，Ｌ１ｊ，Ｌ８，Ｌ９，Ｌ２０，Ｌ２１の光路を示した図である。図１４は図８（Ｃ）に示す断面内における導光レンズ３のブロック３ｅ，３ｋおよびリフレクタ４（図１参照）の反射面４ａによって導光される光源１からの光Ｌ１ｅ，Ｌ１ｋ，Ｌ１０，Ｌ１１，Ｌ２２，Ｌ２３の光路を示した図である。図１５は図９（Ｃ）に示す断面内における導光レンズ３のブロック３ｆ，３ｍおよびリフレクタ４（図１参照）の反射面４ａによって導光される光源１からの光Ｌ１ｆ，Ｌ１ｍ，Ｌ１２，Ｌ１３，Ｌ２４，Ｌ２５の光路を示した図である。
【００３４】
図１６は図２（Ａ）の一部を拡大して示した図である。図１７は導光レンズ３のブロック３ａの反射面３ａ２ａおよび柱状部３−２ａ２を詳細に説明するための図４（Ｃ）と同様の断面図である。図１８は導光レンズ３のブロック３ｂの反射面３ｂ２ｂおよび柱状部３−２ａ５を詳細に説明するための図５（Ｃ）と同様の断面図である。
【００３５】
第１の実施形態の照明装置１００では、図１に示すように、光源１から照射される光と光源１の光軸１’とがなす角度が大きくなるに従って光源１から照射される光の光度が低くなる例えばＬＥＤ光源などのような光源が基板２に実装されている。更に、光源１からの光を導光するための導光レンズ３が設けられている。詳細には、光源１が導光レンズ３の入射側表面３−１（図２参照）に対向して配置され、リフレクタ４の反射面４ａが導光レンズ３の出射側表面３−２（図２参照）の周囲に配置されている。
【００３６】
また、第１の実施形態の照明装置１００では、図２（Ａ）に示すように、光源１（図１参照）の光軸１’を含む複数の平面によって、導光レンズ３が例えば１２個のブロック３ａ，３ｂ，３ｃ，３ｄ，３ｅ，３ｆ，３ｇ，３ｈ，３ｉ，３ｊ，３ｋ，３ｍに仮想分割されている。第２の実施形態の照明装置１００では、代わりに、２以上であって１２以外の任意の数のブロック３ａ，３ｂ，…に導光レンズ３を仮想分割することも可能である。
【００３７】
更に、第１の実施形態の照明装置１００では、図１（Ａ）および図２（Ａ）に示すように、光源１（図１参照）の光軸１’を中心とする各ブロック３ａ，３ｂ，３ｃ，３ｄ，３ｅ，３ｆ，３ｇ，３ｈ，３ｉ，３ｊ，３ｋ，３ｍの中心角θ３ａ，θ３ｂ，θ３ｃ，θ３ｄ，θ３ｅ，θ３ｆ，θ３ｇ，θ３ｈ，θ３ｉ，θ３ｊ，θ３ｋ，θ３ｍ（図１（Ａ）参照）が例えば３０°に設定されている。第３の実施形態の照明装置１００では、代わりに、各ブロック３ａ，３ｂ，…の中心角θ３ａ，θ３ｂ，…を、３０°以外の任意の角度に設定したり、互いに異ならせたりすることも可能である。
【００３８】
また、第１の実施形態の照明装置１００では、図４に示すように、柱状部３−２ａ１，３−２ａ２，３−２ａ３，３−２ａ１４，３−２ａ１５を除き、図４（Ｃ）に示す断面形状を、光源１（図１参照）の光軸１’を中心に３０°回転させることにより得られる扇形の回転体を基本としてブロック３ａ，３ｇが構成されている。更に、図５に示すように、柱状部３−２ａ１，３−２ａ４，３−２ａ５，３−２ａ１６，３−２ａ１７を除き、図５（Ｃ）に示す断面形状を、光源１の光軸１’を中心に３０°回転させることにより得られる扇形の回転体を基本としてブロック３ｂ，３ｈが構成されている。また、図６に示すように、柱状部３−２ａ１，３−２ａ６，３−２ａ７，３−２ａ１８，３−２ａ１９を除き、図６（Ｃ）に示す断面形状を、光源１の光軸１’を中心に３０°回転させることにより得られる扇形の回転体を基本としてブロック３ｃ，３ｉが構成されている。更に、図７に示すように、柱状部３−２ａ１，３−２ａ８，３−２ａ９，３−２ａ２０，３−２ａ２１を除き、図７（Ｃ）に示す断面形状を、光源１の光軸１’を中心に３０°回転させることにより得られる扇形の回転体を基本としてブロック３ｄ，３ｊが構成されている。また、図８に示すように、柱状部３−２ａ１，３−２ａ１０，３−２ａ１１，３−２ａ２２，３−２ａ２３を除き、図８（Ｃ）に示す断面形状を、光源１の光軸１’を中心に３０°回転させることにより得られる扇形の回転体を基本としてブロック３ｅ，３ｋが構成されている。更に、図９に示すように、柱状部３−２ａ１，３−２ａ１２，３−２ａ１３，３−２ａ２４，３−２ａ２５を除き、図９（Ｃ）に示す断面形状を、光源１の光軸１’を中心に３０°回転させることにより得られる扇形の回転体を基本としてブロック３ｆ，３ｍが構成されている。
【００３９】
更に、第１の実施形態の照明装置１００では、図１０（Ａ）に示すように、光源１の光軸１’（図４（Ｃ）参照）と角度θａ１，θｇ１をなして光源１から照射された光が入射する入射面３ａ１ａ，３ｇ１ａ（図４（Ｂ）および図４（Ｃ）参照）がブロック３ａ，３ｇに形成されている。また、図１１（Ａ）に示すように、光源１の光軸１’（図５（Ｃ）参照）と角度θｂ１，θｈ１をなして光源１から照射された光が入射する入射面３ｂ１ａ，３ｈ１ａ（図５（Ｂ）および図５（Ｃ）参照）がブロック３ｂ，３ｈに形成されている。更に、図１２（Ａ）に示すように、光源１の光軸１’（図６（Ｃ）参照）と角度θｃ１，θｉ１をなして光源１から照射された光が入射する入射面３ｃ１ａ，３ｉ１ａ（図６（Ｂ）および図６（Ｃ）参照）がブロック３ｃ，３ｉに形成されている。また、図１３（Ａ）に示すように、光源１の光軸１’（図７（Ｃ）参照）と角度θｄ１，θｊ１をなして光源１から照射された光が入射する入射面３ｄ１ａ，３ｊ１ａ（図７（Ｂ）および図７（Ｃ）参照）がブロック３ｄ，３ｊに形成されている。更に、図１４（Ａ）に示すように、光源１の光軸１’（図８（Ｃ）参照）と角度θｅ１，θｋ１をなして光源１から照射された光が入射する入射面３ｅ１ａ，３ｋ１ａ（図８（Ｂ）および図８（Ｃ）参照）がブロック３ｅ，３ｋに形成されている。また、図１５（Ａ）に示すように、光源１の光軸１’（図９（Ｃ）参照）と角度θｆ１，θｍ１をなして光源１から照射された光が入射する入射面３ｆ１ａ，３ｍ１ａ（図９（Ｂ）および図９（Ｃ）参照）がブロック３ｆ，３ｍに形成されている。
【００４０】
詳細には、第１の実施形態の照明装置１００では、図１０（Ａ）、図１１（Ａ）、図１２（Ａ）、図１３（Ａ）、図１４（Ａ）および図１５（Ａ）に示すように、各ブロック３ａ，３ｂ，３ｃ，３ｄ，３ｅ，３ｆ，３ｇ，３ｈ，３ｉ，３ｊ，３ｋ，３ｍの入射面３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａを透過した光源１からの光が光源１の光軸１’に概略平行な光になるように、光源１の光軸１’を中心に曲線ａｂ（図４（Ｃ）参照）を３６０°回転させることにより得られる凸状の回転面によって各ブロック３ａ，３ｂ，３ｃ，３ｄ，３ｅ，３ｆ，３ｇ，３ｈ，３ｉ，３ｊ，３ｋ，３ｍの入射面３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａが構成されている。
【００４１】
また、第１の実施形態の照明装置１００では、図１０（Ａ）、図１１（Ａ）、図１２（Ａ）、図１３（Ａ）、図１４（Ａ）および図１５（Ａ）に示すように、各ブロック３ａ，３ｂ，３ｃ，３ｄ，３ｅ，３ｆ，３ｇ，３ｈ，３ｉ，３ｊ，３ｋ，３ｍの入射面３ａ１ａ，３ｂ１ａ，３ｃ１ａ，３ｄ１ａ，３ｅ１ａ，３ｆ１ａ，３ｇ１ａ，３ｈ１ａ，３ｉ１ａ，３ｊ１ａ，３ｋ１ａ，３ｍ１ａ（図４、図５、図６、図７、図８および図９参照）からの光を導光する柱状部３−２ａ１（図４（Ｃ）、図５（Ｃ）、図６（Ｃ）、図７（Ｃ）、図８（Ｃ）、図９（Ｃ）および図１６参照）が導光レンズ３（図２参照）の出射側表面３−２（図２参照）に形成されている。
【００４２】
更に、第１の実施形態の照明装置１００では、図１０に示すように、光源１の光軸１’（図４（Ｃ）参照）と角度θａ２（＞θａ１），θｇ２（＞θｇ１）をなして光源１から照射された光、および、光源１の光軸１’と角度θａ３（＞θａ２），θｇ３（＞θｇ２）をなして光源１から照射された光が入射する入射面３ａ１ｂ，３ｇ１ｂ（図４（Ｂ）および図４（Ｃ）参照）がブロック３ａ，３ｇに形成されている。また、図１１に示すように、光源１の光軸１’（図５（Ｃ）参照）と角度θｂ２（＞θｂ１），θｈ２（＞θｈ１）をなして光源１から照射された光、および、光源１の光軸１’と角度θｂ３（＞θｂ２＞θａ２），θｈ３（＞θｈ２＞θｇ２）をなして光源１から照射された光が入射する入射面３ｂ１ｂ，３ｈ１ｂ（図５（Ｂ）および図５（Ｃ）参照）がブロック３ｂ，３ｈに形成されている。更に、図１２に示すように、光源１の光軸１’（図６（Ｃ）参照）と角度θｃ２（＞θｃ１），θｉ２（＞θｉ１）をなして光源１から照射された光、および、光源１の光軸１’と角度θｃ３（＞θｃ２），θｉ３（＞θｉ２）をなして光源１から照射された光が入射する入射面３ｃ１ｂ，３ｉ１ｂ（図６（Ｂ）および図６（Ｃ）参照）がブロック３ｃ，３ｉに形成されている。また、図１３に示すように、光源１の光軸１’（図７（Ｃ）参照）と角度θｄ２（＞θｄ１），θｊ２（＞θｊ１）をなして光源１から照射された光、および、光源１の光軸１’と角度θｄ３（＞θｄ２＞θｃ２），θｊ３（＞θｊ２＞θｉ２）をなして光源１から照射された光が入射する入射面３ｄ１ｂ，３ｊ１ｂ（図７（Ｂ）および図７（Ｃ）参照）がブロック３ｄ，３ｊに形成されている。更に、図１４に示すように、光源１の光軸１’（図８（Ｃ）参照）と角度θｅ２（＞θｅ１），θｋ２（＞θｋ１）をなして光源１から照射された光、および、光源１の光軸１’と角度θｅ３（＞θｅ２），θｋ３（＞θｋ２）をなして光源１から照射された光が入射する入射面３ｅ１ｂ，３ｋ１ｂ（図８（Ｂ）および図８（Ｃ）参照）がブロック３ｅ，３ｋに形成されている。また、図１４に示すように、光源１の光軸１’（図９（Ｃ）参照）と角度θｆ２（＞θｆ１），θｍ２（＞θｍ１）をなして光源１から照射された光、および、光源１の光軸１’と角度θｆ３（＞θｆ２＞θｅ２），θｍ３（＞θｍ２＞θｋ２）をなして光源１から照射された光が入射する入射面３ｆ１ｂ，３ｍ１ｂ（図９（Ｂ）および図９（Ｃ）参照）がブロック３ｄ，３ｊに形成されている。
【００４３】
詳細には、第１の実施形態の照明装置１００では、図４（Ｃ）、図５（Ｃ）、図６（Ｃ）、図７（Ｃ）、図８（Ｃ）および図９（Ｃ）に示すように、光源１（図１参照）の光軸１’を中心に直線ｂｃを３６０°回転させることにより得られる回転面によって各ブロック３ａ，３ｂ，３ｃ，３ｄ，３ｅ，３ｆ，３ｇ，３ｈ，３ｉ，３ｊ，３ｋ，３ｍの入射面３ａ１ｂ，３ｂ１ｂ，３ｃ１ｂ，３ｄ１ｂ，３ｅ１ｂ，３ｆ１ｂ，３ｇ１ｂ，３ｈ１ｂ，３ｉ１ｂ，３ｊ１ｂ，３ｋ１ｂ，３ｍ１ｂが構成されている。
【００４４】
また、第１の実施形態の照明装置１００では、図１０（Ｂ）に示すように、光源１の光軸１’（図４参照）と角度θａ２をなして光源１から照射され、ブロック３ａの入射面３ａ１ｂ（図４（Ｃ）参照）を透過した光を光源１の光軸１’の方向に反射する反射面３ａ２ａがブロック３ａに形成されている。詳細には、光源１の光軸１’を中心に直線または曲線ｄｅを、ブロック３ａの中心角θ３ａ（図１（Ａ）参照）に相当する角度だけ回転させることにより得られる回転面によってブロック３ａの反射面３ａ２ａが構成されている。
【００４５】
更に、第１の実施形態の照明装置１００では、図１０（Ｂ）に示すように、ブロック３ａの反射面３ａ２ａからの光を導光する柱状部３−２ａ２が導光レンズ３（図２参照）の出射側表面３−２（図２参照）に形成されている。また、柱状部３−２ａ２によって導光され、柱状部３−２ａ２の先端部３−２ａ２ａ（図４参照）の先端面３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８（図１６参照）のいずれかを透過した光Ｌ２が、照明装置１００の照射方向（図１０（Ｂ）の上側）に照射される。
【００４６】
また、第１の実施形態の照明装置１００では、図１０（Ａ）に示すように、光源１の光軸１’（図４参照）と角度θａ３をなして光源１から照射され、ブロック３ａの入射面３ａ１ｂ（図４（Ｃ）参照）を透過した光を光源１の光軸１’の方向に反射する反射面３ａ２ｂがブロック３ａに形成されている。詳細には、光源１の光軸１’を中心に直線または曲線を、ブロック３ａの中心角θ３ａ（図１（Ａ）参照）に相当する角度だけ回転させることにより得られる回転面によってブロック３ａの反射面３ａ２ｂが構成されている。
【００４７】
更に、第１の実施形態の照明装置１００では、図１０（Ａ）に示すように、ブロック３ａの反射面３ａ２ｂからの光を導光する柱状部３−２ａ３（図４参照）が導光レンズ３（図２参照）の出射側表面３−２（図２参照）に形成されている。また、柱状部３−２ａ３によって導光され、柱状部３−２ａ３の先端部３−２ａ３ａ（図４参照）を透過した光Ｌ３が、照明装置１００の照射方向（図１０（Ａ）の上側）に照射される。
【００４８】
また、第１の実施形態の照明装置１００では、図４（Ｃ）に示すように、導光レンズ３（図２参照）の出射側表面３−２（図２参照）と反射面３ａ２ａとを接続する入射側接続面３ａ３ａと、反射面３ａ２ａと反射面３ａ２ｂとを接続する入射側接続面３ａ３ｂと、反射面３ａ２ｂと入射面３ａ１ｂとを接続する入射側接続面３ａ３ｃとがブロック３ａの入射側表面３−１（図２参照）に形成されている。
【００４９】
更に、第１の実施形態の照明装置１００では、図４（Ｃ）に示すように、柱状部３−２ａ１，３−２ａ２，３−２ａ３の相互間を接続する出射側接続面３−２ｂがブロック３ａの出射側表面３−２（図２参照）に形成されている。また、柱状部３−２ａ１の先端部３−２ａ１ａと出射側接続面３−２ｂとが柱状部３−２ａ１の側面部３−２ａ１ｂによって接続され、柱状部３−２ａ２の先端部３−２ａ２ａと出射側接続面３−２ｂとが柱状部３−２ａ２の側面部３−２ａ２ｂによって接続され、柱状部３−２ａ３の先端部３−２ａ３ａと出射側接続面３−２ｂとが柱状部３−２ａ３の側面部３−２ａ３ｂによって接続されている。
【００５０】
また、第１の実施形態の照明装置１００では、図４（Ａ）および図４（Ｃ）に示すように、光源１（図１参照）の光軸１’を中心にブロック３ａおよび柱状部３−２ａ２，３−２ａ３を図４（Ａ）の反時計回りに１８０°回転させて複写することにより、ブロック３ｇおよび柱状部３−２ａ１４，３−２ａ１５が得られる。
【００５１】
そのため、第１の実施形態の照明装置１００では、図１０（Ｂ）に示すように、光源１の光軸１’（図４参照）と角度θｇ２をなして光源１から照射され、ブロック３ｇの入射面３ｇ１ｂ（図４（Ｃ）参照）を透過した光が、反射面３ａ２ａによって光源１の光軸１’の方向に反射され、次いで、柱状部３−２ａ１４によって導光され、柱状部３−２ａ１４の先端部を透過した光Ｌ１４が、照明装置１００の照射方向（図１０（Ｂ）の上側）に照射される。
【００５２】
更に、第１の実施形態の照明装置１００では、図１０（Ａ）に示すように、光源１の光軸１’（図４参照）と角度θｇ３をなして光源１から照射され、ブロック３ｇの入射面３ｇ１ｂ（図４（Ｃ）参照）を透過した光が、反射面３ａ２ｂによって光源１の光軸１’の方向に反射され、次いで、柱状部３−２ａ１５（図４参照）によって導光され、柱状部３−２ａ１５の先端部を透過した光Ｌ１５が、照明装置１００の照射方向（図１０（Ａ）の上側）に照射される。
【００５３】
また、第１の実施形態の照明装置１００では、図４（Ａ）、図４（Ｃ）、図６（Ａ）および図６（Ｃ）に示すように、光源１（図１参照）の光軸１’を中心にブロック３ａおよび柱状部３−２ａ２，３−２ａ３を図４（Ａ）の反時計回りに６０°回転させて複写することにより、ブロック３ｃおよび柱状部３−２ａ６，３−２ａ７が得られる。
【００５４】
そのため、第１の実施形態の照明装置１００では、図１２（Ｂ）に示すように、光源１の光軸１’（図６参照）と角度θｃ２をなして光源１から照射され、ブロック３ｃの入射面３ｃ１ｂ（図６（Ｃ）参照）を透過した光が、反射面３ｃ２ａによって光源１の光軸１’の方向に反射され、次いで、柱状部３−２ａ６によって導光され、柱状部３−２ａ６の先端部を透過した光Ｌ６が、照明装置１００の照射方向（図１２（Ｂ）の上側）に照射される。
【００５５】
更に、第１の実施形態の照明装置１００では、図１２（Ａ）に示すように、光源１の光軸１’（図６参照）と角度θｃ３をなして光源１から照射され、ブロック３ｃの入射面３ｃ１ｂ（図６（Ｃ）参照）を透過した光が、反射面３ｃ２ｂによって光源１の光軸１’の方向に反射され、次いで、柱状部３−２ａ７（図６参照）によって導光され、柱状部３−２ａ７の先端部を透過した光Ｌ７が、照明装置１００の照射方向（図１２（Ａ）の上側）に照射される。
【００５６】
また、第１の実施形態の照明装置１００では、図４（Ａ）、図４（Ｃ）、図６（Ａ）および図６（Ｃ）に示すように、光源１（図１参照）の光軸１’を中心にブロック３ａおよび柱状部３−２ａ２，３−２ａ３を図４（Ａ）の反時計回りに２４０°回転させて複写することにより、ブロック３ｉおよび柱状部３−２ａ１８，３−２ａ１９が得られる。
【００５７】
そのため、第１の実施形態の照明装置１００では、図１２（Ｂ）に示すように、光源１の光軸１’（図６参照）と角度θｉ２をなして光源１から照射され、ブロック３ｉの入射面３ｉ１ｂ（図６（Ｃ）参照）を透過した光が、反射面３ｉ２ａによって光源１の光軸１’の方向に反射され、次いで、柱状部３−２ａ１８によって導光され、柱状部３−２ａ１８の先端部を透過した光Ｌ１８が、照明装置１００の照射方向（図１２（Ｂ）の上側）に照射される。
【００５８】
更に、第１の実施形態の照明装置１００では、図１２（Ａ）に示すように、光源１の光軸１’（図６参照）と角度θｉ３をなして光源１から照射され、ブロック３ｉの入射面３ｉ１ｂ（図６（Ｃ）参照）を透過した光が、反射面３ｉ２ｂによって光源１の光軸１’の方向に反射され、次いで、柱状部３−２ａ１９（図６参照）によって導光され、柱状部３−２ａ１９の先端部を透過した光Ｌ１９が、照明装置１００の照射方向（図１２（Ａ）の上側）に照射される。
【００５９】
また、第１の実施形態の照明装置１００では、図４（Ａ）、図４（Ｃ）、図８（Ａ）および図８（Ｃ）に示すように、光源１（図１参照）の光軸１’を中心にブロック３ａおよび柱状部３−２ａ２，３−２ａ３を図４（Ａ）の反時計回りに１２０°回転させて複写することにより、ブロック３ｅおよび柱状部３−２ａ１０，３−２ａ１１が得られる。
【００６０】
そのため、第１の実施形態の照明装置１００では、図１４（Ｂ）に示すように、光源１の光軸１’（図８参照）と角度θｅ２をなして光源１から照射され、ブロック３ｅの入射面３ｅ１ｂ（図８（Ｃ）参照）を透過した光が、反射面３ｅ２ａによって光源１の光軸１’の方向に反射され、次いで、柱状部３−２ａ１０によって導光され、柱状部３−２ａ１０の先端部を透過した光Ｌ１０が、照明装置１００の照射方向（図１４（Ｂ）の上側）に照射される。
【００６１】
更に、第１の実施形態の照明装置１００では、図１４（Ａ）に示すように、光源１の光軸１’（図８参照）と角度θｅ３をなして光源１から照射され、ブロック３ｅの入射面３ｅ１ｂ（図８（Ｃ）参照）を透過した光が、反射面３ｅ２ｂによって光源１の光軸１’の方向に反射され、次いで、柱状部３−２ａ１１（図８参照）によって導光され、柱状部３−２ａ１１の先端部を透過した光Ｌ１１が、照明装置１００の照射方向（図１４（Ａ）の上側）に照射される。
【００６２】
また、第１の実施形態の照明装置１００では、図４（Ａ）、図４（Ｃ）、図８（Ａ）および図８（Ｃ）に示すように、光源１（図１参照）の光軸１’を中心にブロック３ａおよび柱状部３−２ａ２，３−２ａ３を図４（Ａ）の反時計回りに３００°回転させて複写することにより、ブロック３ｋおよび柱状部３−２ａ２２，３−２ａ２３が得られる。
【００６３】
そのため、第１の実施形態の照明装置１００では、図１４（Ｂ）に示すように、光源１の光軸１’（図８参照）と角度θｋ２をなして光源１から照射され、ブロック３ｋの入射面３ｋ１ｂ（図８（Ｃ）参照）を透過した光が、反射面３ｋ２ａによって光源１の光軸１’の方向に反射され、次いで、柱状部３−２ａ２２によって導光され、柱状部３−２ａ２２の先端部を透過した光Ｌ２２が、照明装置１００の照射方向（図１４（Ｂ）の上側）に照射される。
【００６４】
更に、第１の実施形態の照明装置１００では、図１４（Ａ）に示すように、光源１の光軸１’（図８参照）と角度θｋ３をなして光源１から照射され、ブロック３ｋの入射面３ｋ１ｂ（図８（Ｃ）参照）を透過した光が、反射面３ｋ２ｂによって光源１の光軸１’の方向に反射され、次いで、柱状部３−２ａ２３（図８参照）によって導光され、柱状部３−２ａ２３の先端部を透過した光Ｌ２３が、照明装置１００の照射方向（図１４（Ａ）の上側）に照射される。
【００６５】
第１の実施形態の照明装置１００では、ブロック３ｃ，３ｅ，３ｇ，３ｉ，３ｋがブロック３ａに対して回転および複写の関係を有するように構成されているが、第４の実施形態の照明装置１００では、代わりに、ブロック３ｃ，３ｅ，３ｇ，３ｉ，３ｋのそれぞれをブロック３ａに対して無関係に構成することも可能である。
【００６６】
また、第１の実施形態の照明装置１００では、図１１（Ａ）に示すように、光源１の光軸１’（図５参照）と角度θｂ３をなして光源１から照射され、ブロック３ａ（図２参照）に隣接するブロック３ｂの入射面３ｂ１ｂ（図５参照）を透過した光を光源１の光軸１’の方向に反射する反射面３ｂ２ｂがブロック３ｂに形成されている。更に、図４（Ｃ）および図５（Ｃ）に示すように、ブロック３ａの反射面３ａ２ａよりも光源１の光軸１’から近い位置にブロック３ｂの反射面３ｂ２ｂが配置されている。詳細には、図５に示すように、光源１の光軸１’を中心に直線または曲線ｊｋ（図５（Ｃ）参照）を、ブロック３ｂの中心角θ３ｂ（図１参照）に相当する角度だけ回転させることにより得られる回転面によってブロック３ｂの反射面３ｂ２ｂが構成されている。
【００６７】
更に、第１の実施形態の照明装置１００では、図１１（Ａ）に示すように、ブロック３ｂの反射面３ｂ２ｂからの光を導光する柱状部３−２ａ５（図５参照）が導光レンズ３（図２参照）の出射側表面３−２（図２参照）に形成されている。また、図４および図５に示すように、柱状部３−２ａ２よりも光源１の光軸１’から近い位置に柱状部３−２ａ５が配置されている。更に、図１１（Ａ）に示すように、柱状部３−２ａ５によって導光され、柱状部３−２ａ５の先端部３−２ａ５ａ（図５参照）の先端面３−２ａ５ａ１，３−２ａ５ａ２，３−２ａ５ａ３，３−２ａ５ａ４，３−２ａ５ａ５（図１６参照）のいずれかを透過した光Ｌ５が、照明装置１００の照射方向（図１１（Ａ）の上側）に照射される。
【００６８】
また、第１の実施形態の照明装置１００では、図１１（Ｂ）に示すように、光源１の光軸１’（図５参照）と角度θｂ２をなして光源１から照射され、ブロック３ｂの入射面３ｂ１ｂ（図５参照）を透過した光を光源１の光軸１’の方向に反射する反射面３ｂ２ａがブロック３ｂに形成されている。詳細には、図５に示すように、光源１の光軸１’を中心に直線または曲線を、ブロック３ｂの中心角θ３ｂ（図１参照）に相当する角度だけ回転させることにより得られる回転面によってブロック３ｂの反射面３ｂ２ａが構成されている。
【００６９】
更に、第１の実施形態の照明装置１００では、図１１（Ｂ）に示すように、ブロック３ｂの反射面３ｂ２ａからの光を導光する柱状部３−２ａ４（図５参照）が導光レンズ３（図２参照）の出射側表面３−２（図２参照）に形成されている。また、柱状部３−２ａ４によって導光され、柱状部３−２ａ４の先端部３−２ａ４ａ（図５参照）を透過した光Ｌ４が、照明装置１００の照射方向（図１１（Ｂ）の上側）に照射される。
【００７０】
また、第１の実施形態の照明装置１００では、図５（Ｃ）に示すように、導光レンズ３（図２参照）の出射側表面３−２（図２参照）と反射面３ｂ２ａとを接続する入射側接続面３ｂ３ａ１，３ｂ３ａ２と、反射面３ｂ２ａと反射面３ｂ２ｂとを接続する入射側接続面３ｂ３ｂと、反射面３ｂ２ｂと入射面３ｂ１ｂとを接続する入射側接続面３ｂ３ｃとがブロック３ｂの入射側表面３−１（図２参照）に形成されている。
【００７１】
更に、第１の実施形態の照明装置１００では、図５（Ｃ）に示すように、柱状部３−２ａ１，３−２ａ４，３−２ａ５の相互間を接続する出射側接続面３−２ｂがブロック３ｂの出射側表面３−２（図２参照）に形成されている。また、柱状部３−２ａ１の先端部３−２ａ１ａと出射側接続面３−２ｂとが柱状部３−２ａ１の側面部３−２ａ１ｂによって接続され、柱状部３−２ａ４の先端部３−２ａ４ａと出射側接続面３−２ｂとが柱状部３−２ａ４の側面部３−２ａ４ｂによって接続され、柱状部３−２ａ５の先端部３−２ａ５ａと出射側接続面３−２ｂとが柱状部３−２ａ５の側面部３−２ａ５ｂによって接続されている。
【００７２】
また、第１の実施形態の照明装置１００では、図５（Ａ）および図５（Ｃ）に示すように、光源１（図１参照）の光軸１’を中心にブロック３ｂおよび柱状部３−２ａ４，３−２ａ５を図４（Ａ）の反時計回りに１８０°回転させて複写することにより、ブロック３ｈおよび柱状部３−２ａ１６，３−２ａ１７が得られる。
【００７３】
そのため、第１の実施形態の照明装置１００では、図１１（Ｂ）に示すように、光源１の光軸１’（図５参照）と角度θｈ２をなして光源１から照射され、ブロック３ｈの入射面３ｈ１ｂ（図５（Ｃ）参照）を透過した光が、反射面３ｈ２ａによって光源１の光軸１’の方向に反射され、次いで、柱状部３−２ａ１６によって導光され、柱状部３−２ａ１６の先端部を透過した光Ｌ１６が、照明装置１００の照射方向（図１１（Ｂ）の上側）に照射される。
【００７４】
更に、第１の実施形態の照明装置１００では、図１１（Ａ）に示すように、光源１の光軸１’（図５参照）と角度θｈ３をなして光源１から照射され、ブロック３ｈの入射面３ｈ１ｂ（図５（Ｃ）参照）を透過した光が、反射面３ｈ２ｂ（図５参照）によって光源１の光軸１’の方向に反射され、次いで、柱状部３−２ａ１７（図５参照）によって導光され、柱状部３−２ａ１７の先端部を透過した光Ｌ１７が、照明装置１００の照射方向（図１１（Ａ）の上側）に照射される。
【００７５】
また、第１の実施形態の照明装置１００では、図５（Ａ）、図５（Ｃ）、図７（Ａ）および図７（Ｃ）に示すように、光源１（図１参照）の光軸１’を中心にブロック３ｂおよび柱状部３−２ａ４，３−２ａ５を図５（Ａ）の反時計回りに６０°回転させて複写することにより、ブロック３ｄおよび柱状部３−２ａ８，３−２ａ９が得られる。
【００７６】
そのため、第１の実施形態の照明装置１００では、図１３（Ｂ）に示すように、光源１の光軸１’（図７参照）と角度θｄ２をなして光源１から照射され、ブロック３ｄの入射面３ｄ１ｂ（図７（Ｃ）参照）を透過した光が、反射面３ｄ２ａによって光源１の光軸１’の方向に反射され、次いで、柱状部３−２ａ８（図７参照）によって導光され、柱状部３−２ａ８の先端部を透過した光Ｌ８が、照明装置１００の照射方向（図１３（Ｂ）の上側）に照射される。
【００７７】
更に、第１の実施形態の照明装置１００では、図１３（Ａ）に示すように、光源１の光軸１’（図７参照）と角度θｄ３をなして光源１から照射され、ブロック３ｄの入射面３ｄ１ｂ（図７（Ｃ）参照）を透過した光が、反射面３ｄ２ｂによって光源１の光軸１’の方向に反射され、次いで、柱状部３−２ａ９（図７参照）によって導光され、柱状部３−２ａ９の先端部を透過した光Ｌ９が、照明装置１００の照射方向（図１３（Ａ）の上側）に照射される。
【００７８】
また、第１の実施形態の照明装置１００では、図５（Ａ）、図５（Ｃ）、図７（Ａ）および図７（Ｃ）に示すように、光源１（図１参照）の光軸１’を中心にブロック３ｂおよび柱状部３−２ａ４，３−２ａ５を図５（Ａ）の反時計回りに２４０°回転させて複写することにより、ブロック３ｊおよび柱状部３−２ａ２０，３−２ａ２１が得られる。
【００７９】
そのため、第１の実施形態の照明装置１００では、図１３（Ｂ）に示すように、光源１の光軸１’（図７参照）と角度θｊ２をなして光源１から照射され、ブロック３ｊの入射面３ｊ１ｂ（図７（Ｃ）参照）を透過した光が、反射面３ｊ２ａによって光源１の光軸１’の方向に反射され、次いで、柱状部３−２ａ２０（図７参照）によって導光され、柱状部３−２ａ２０の先端部を透過した光Ｌ２０が、照明装置１００の照射方向（図１３（Ｂ）の上側）に照射される。
【００８０】
更に、第１の実施形態の照明装置１００では、図１３（Ａ）に示すように、光源１の光軸１’（図７参照）と角度θｊ３をなして光源１から照射され、ブロック３ｊの入射面３ｊ１ｂ（図７（Ｃ）参照）を透過した光が、反射面３ｊ２ｂ（図７参照）によって光源１の光軸１’の方向に反射され、次いで、柱状部３−２ａ２１（図７参照）によって導光され、柱状部３−２ａ２１の先端部を透過した光Ｌ２１が、照明装置１００の照射方向（図１３（Ａ）の上側）に照射される。
【００８１】
また、第１の実施形態の照明装置１００では、図５（Ａ）、図５（Ｃ）、図９（Ａ）および図９（Ｃ）に示すように、光源１（図１参照）の光軸１’を中心にブロック３ｂおよび柱状部３−２ａ４，３−２ａ５を図５（Ａ）の反時計回りに１２０°回転させて複写することにより、ブロック３ｆおよび柱状部３−２ａ１２，３−２ａ１３が得られる。
【００８２】
そのため、第１の実施形態の照明装置１００では、図１５（Ｂ）に示すように、光源１の光軸１’（図９参照）と角度θｆ２をなして光源１から照射され、ブロック３ｆの入射面３ｆ１ｂ（図９（Ｃ）参照）を透過した光が、反射面３ｆ２ａによって光源１の光軸１’の方向に反射され、次いで、柱状部３−２ａ１２（図９参照）によって導光され、柱状部３−２ａ１２の先端部を透過した光Ｌ１２が、照明装置１００の照射方向（図１５（Ｂ）の上側）に照射される。
【００８３】
更に、第１の実施形態の照明装置１００では、図１５（Ａ）に示すように、光源１の光軸１’（図９参照）と角度θｆ３をなして光源１から照射され、ブロック３ｆの入射面３ｆ１ｂ（図９（Ｃ）参照）を透過した光が、反射面３ｆ２ｂによって光源１の光軸１’の方向に反射され、次いで、柱状部３−２ａ１３（図９参照）によって導光され、柱状部３−２ａ１３の先端部を透過した光Ｌ１３が、照明装置１００の照射方向（図１５（Ａ）の上側）に照射される。
【００８４】
また、第１の実施形態の照明装置１００では、図５（Ａ）、図５（Ｃ）、図９（Ａ）および図９（Ｃ）に示すように、光源１（図１参照）の光軸１’を中心にブロック３ｂおよび柱状部３−２ａ４，３−２ａ５を図５（Ａ）の反時計回りに３００°回転させて複写することにより、ブロック３ｍおよび柱状部３−２ａ２４，３−２ａ２５が得られる。
【００８５】
そのため、第１の実施形態の照明装置１００では、図１５（Ｂ）に示すように、光源１の光軸１’（図９参照）と角度θｍ２をなして光源１から照射され、ブロック３ｍの入射面３ｍ１ｂ（図９（Ｃ）参照）を透過した光が、反射面３ｍ２ａによって光源１の光軸１’の方向に反射され、次いで、柱状部３−２ａ２４（図９参照）によって導光され、柱状部３−２ａ２４の先端部を透過した光Ｌ２４が、照明装置１００の照射方向（図１５（Ｂ）の上側）に照射される。
【００８６】
更に、第１の実施形態の照明装置１００では、図１５（Ａ）に示すように、光源１の光軸１’（図９参照）と角度θｍ３をなして光源１から照射され、ブロック３ｍの入射面３ｍ１ｂ（図９（Ｃ）参照）を透過した光が、反射面３ｍ２ｂ（図９参照）によって光源１の光軸１’の方向に反射され、次いで、柱状部３−２ａ２５（図９参照）によって導光され、柱状部３−２ａ２５の先端部を透過した光Ｌ２５が、照明装置１００の照射方向（図１５（Ａ）の上側）に照射される。
【００８７】
第１の実施形態の照明装置１００では、ブロック３ｄ，３ｆ，３ｈ，３ｊ，３ｍがブロック３ｂに対して回転および複写の関係を有するように構成されているが、第５の実施形態の照明装置１００では、代わりに、ブロック３ｄ，３ｆ，３ｈ，３ｊ，３ｍのそれぞれをブロック３ｂに対して無関係に構成することも可能である。
【００８８】
また、第１の実施形態の照明装置１００では、図１７（Ａ）に示すように、光源１の光軸１’（図４参照）と角度θａ２ａをなして光源１から照射され、ブロック３ａの入射面３ａ１ｂを透過し、反射面３ａ２ａによって反射された光の一部が、柱状部３−２ａ２の外径側端部３−２ａ２ｂｏｕｔに入射し、側面部３−２ａ２ｂによって反射され、先端部３−２ａ２ａの透過光Ｌ２ｏｕｔとなって照明装置１００の照射方向（図１７（Ａ）の上側）に照射される。
【００８９】
更に、第１の実施形態の照明装置１００では、図１７（Ｂ）に示すように、光源１の光軸１’（図４参照）と角度θａ２ｂをなして光源１から照射され、ブロック３ａの入射面３ａ１ｂを透過し、反射面３ａ２ａによって反射された光の一部が、柱状部３−２ａ２の内径側端部３−２ａ２ｂｉｎに入射し、側面部３−２ａ２ｂによって反射され、先端部３−２ａ２ａの透過光Ｌ２ｉｎとなって照明装置１００の照射方向（図１７（Ｂ）の上側）に照射される。
【００９０】
また、第１の実施形態の照明装置１００では、図１８（Ａ）に示すように、光源１の光軸１’（図５参照）と角度θｂ３ａをなして光源１から照射され、ブロック３ｂの入射面３ｂ１ｂを透過し、反射面３ｂ２ｂによって反射された光の一部が、柱状部３−２ａ５の外径側端部３−２ａ５ｂｏｕｔに入射し、側面部３−２ａ５ｂによって反射され、先端部３−２ａ５ａの透過光Ｌ５ｏｕｔとなって照明装置１００の照射方向（図１８（Ａ）の上側）に照射される。
【００９１】
更に、第１の実施形態の照明装置１００では、図１８（Ｂ）に示すように、光源１の光軸１’（図５参照）と角度θｂ３ｂをなして光源１から照射され、ブロック３ｂの入射面３ｂ１ｂを透過し、反射面３ｂ２ｂによって反射された光の一部が、柱状部３−２ａ５の内径側端部３−２ａ５ｂｉｎに入射し、側面部３−２ａ５ｂによって反射され、先端部３−２ａ５ａの透過光Ｌ５ｉｎとなって照明装置１００の照射方向（図１８（Ｂ）の上側）に照射される。
【００９２】
詳細には、第１の実施形態の照明装置１００では、図１７および図１８に示すように、柱状部３−２ａ２の外径側端部３−２ａ２ｂｏｕｔに入射するために光源１から照射される強い光が光源１の光軸１’（図４参照）となす角度θａ２ａ（図１７（Ａ）参照）と、柱状部３−２ａ２の内径側端部３−２ａ２ｂｉｎに入射するために光源１から照射される強い光が光源１の光軸１’となす角度θａ２ｂ（図１７（Ｂ）参照）との差分（θａ２ｂ−θａ２ａ）が、柱状部３−２ａ５の外径側端部３−２ａ５ｂｏｕｔに入射するために光源１から照射される弱い光が光源１の光軸１’（図５参照）となす角度θｂ３ａ（図１８（Ａ）参照）と、柱状部３−２ａ５の内径側端部３−２ａ５ｂｉｎに入射するために光源１から照射される弱い光が光源１の光軸１’となす角度θｂ３ｂ（図１８（Ｂ）参照）との差分（θｂ３ｂ−θｂ３ａ）よりも小さくなるように、柱状部３−２ａ２，３−２ａ５が形成されている。
【００９３】
そのため、第１の実施形態の照明装置１００によれば、光源１の光軸１’の方向（図１７および図１８の上側）から導光レンズ３を見た時に、光源１の光軸１’から近い位置に配置され、弱い光が出射する柱状部３−２ａ５（図１８参照）の先端部３−２ａ５ａ（図１８参照）が、光源１の光軸１’から離れた位置に配置され、強い光が出射する柱状部３−２ａ２（図１７参照）の先端部３−２ａ２ａ（図１７参照）よりも暗く見えてしまうのを抑制することができる。
【００９４】
更に、第１の実施形態の照明装置１００では、図１６に示すように、柱状部３−２ａ２の先端部３−２ａ２ａ（図４（Ｃ）参照）が複数の異なる先端面３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８によって構成されている。また、柱状部３−２ａ５の先端部３−２ａ５ａ（図５（Ｃ）参照）が複数の異なる先端面３−２ａ５ａ１，３−２ａ５ａ２，３−２ａ５ａ３，３−２ａ５ａ４，３−２ａ５ａ５によって構成されている。更に、柱状部３−２ａ２よりも光源１（図１参照）の光軸１’から近い位置に配置された柱状部３−２ａ５の先端面３−２ａ５ａ１，３−２ａ５ａ２，３−２ａ５ａ３，３−２ａ５ａ４，３−２ａ５ａ５の数（例えば５個）が、柱状部３−２ａ２の先端面３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８の数（例えば８個）よりも少なくされている。
【００９５】
そのため、第１の実施形態の照明装置１００によれば、光源１の光軸１’の方向（図４（Ｃ）および図５（Ｃ）の上側）から導光レンズ３を見た時に、柱状部３−２ａ２の先端部３−２ａ２ａの１個の先端面３−２ａ２ａ１，３−２ａ２ａ２，３−２ａ２ａ３，３−２ａ２ａ４，３−２ａ２ａ５，３−２ａ２ａ６，３−２ａ２ａ７，３−２ａ２ａ８（図１６参照）の明るさと、柱状部３−２ａ５の先端部３−２ａ５ａの１個の先端面３−２ａ５ａ１，３−２ａ５ａ２，３−２ａ５ａ３，３−２ａ５ａ４，３−２ａ５ａ５（図１６参照）の明るさとが概略等しくなるようにすることができる。
【００９６】
第１の実施形態の照明装置１００では、図４（Ｃ）および図５（Ｃ）に示すように、柱状部３−２ａ２，３−２ａ３，３−２ａ４，３−２ａ５の先端部３−２ａ２ａ，３−２ａ３ａ，３−２ａ４ａ，３−２ａ５ａが凸状に形成されているが、第６の実施形態の照明装置１００では、代わりに、柱状部３−２ａ２，３−２ａ３，３−２ａ４，３−２ａ５によって導光された光が柱状部３−２ａ２，３−２ａ３，３−２ａ４，３−２ａ５の先端部３−２ａ２ａ，３−２ａ３ａ，３−２ａ４ａ，３−２ａ５ａを透過できるように、柱状部３−２ａ２，３−２ａ３，３−２ａ４，３−２ａ５の先端部３−２ａ２ａ，３−２ａ３ａ，３−２ａ４ａ，３−２ａ５ａを凹状に形成したり、光源１の光軸１’に垂直な面によって柱状部３−２ａ２，３−２ａ３，３−２ａ４，３−２ａ５の先端部３−２ａ２ａ，３−２ａ３ａ，３−２ａ４ａ，３−２ａ５ａを構成したりすることも可能である。
【００９７】
また、第１の実施形態の照明装置１００では、図４（Ｃ）および図５（Ｃ）に示すように、柱状部３−２ａ１の先端部３−２ａ１ａが、柱状部３−２ａ２，３−２ａ３，３−２ａ４，３−２ａ５の先端部３−２ａ２ａ，３−２ａ３ａ，３−２ａ４ａ，３−２ａ５ａよりも照明装置１００の照射方向の側（図４（Ｃ）および図５（Ｃ）の上側）に突出せしめられている。更に、柱状部３−２ａ１の先端部３−２ａ１ａが凹状に形成されている。また、図１に示すように、導光レンズ３の周囲にリフレクタ４が配置されている。
【００９８】
更に、第１の実施形態の照明装置１００では、図１０（Ａ）に示すように、光源１の光軸１’（図４（Ｃ）参照）と角度θａ１をなして光源１から照射され、ブロック３ａの入射面３ａ１ａ（図４（Ｃ）参照）を透過し、柱状部３−２ａ１（図４（Ｃ）参照）によって導光された光が、柱状部３−２ａ１の先端部３−２ａ１ａ（図４（Ｃ）参照）によって反射され、柱状部３−２ａ１の側面部３−２ａ１ｂ（図４（Ｃ）参照）を透過し、リフレクタ４（図１参照）の反射面４ａからの反射光Ｌ１ａとなって、概略光源１の光軸１’の方向（図１０（Ａ）の上側）に照射される。また、光源１の光軸１’と角度θｇ１をなして光源１から照射され、ブロック３ｇの入射面３ｇ１ａ（図４（Ｃ）参照）を透過し、柱状部３−２ａ１によって導光された光が、柱状部３−２ａ１の先端部３−２ａ１ａによって反射され、柱状部３−２ａ１の側面部３−２ａ１ｂを透過し、リフレクタ４の反射面４ａからの反射光Ｌ１ｇとなって、概略光源１の光軸１’の方向（図１０（Ａ）の上側）に照射される。
【００９９】
また、第１の実施形態の照明装置１００では、図１１（Ａ）に示すように、光源１の光軸１’（図５（Ｃ）参照）と角度θｂ１をなして光源１から照射され、ブロック３ｂの入射面３ｂ１ａ（図５（Ｃ）参照）を透過し、柱状部３−２ａ１（図５（Ｃ）参照）によって導光された光が、柱状部３−２ａ１の先端部３−２ａ１ａ（図５（Ｃ）参照）によって反射され、柱状部３−２ａ１の側面部３−２ａ１ｂ（図５（Ｃ）参照）を透過し、リフレクタ４（図１参照）の反射面４ａからの反射光Ｌ１ｂとなって、概略光源１の光軸１’の方向（図１１（Ａ）の上側）に照射される。更に、光源１の光軸１’と角度θｈ１をなして光源１から照射され、ブロック３ｈの入射面３ｈ１ａ（図５（Ｃ）参照）を透過し、柱状部３−２ａ１によって導光された光が、柱状部３−２ａ１の先端部３−２ａ１ａによって反射され、柱状部３−２ａ１の側面部３−２ａ１ｂを透過し、リフレクタ４の反射面４ａからの反射光Ｌ１ｈとなって、概略光源１の光軸１’の方向（図１１（Ａ）の上側）に照射される。
【０１００】
更に、第１の実施形態の照明装置１００では、図１２（Ａ）に示すように、光源１の光軸１’（図６（Ｃ）参照）と角度θｃ１をなして光源１から照射され、ブロック３ｃの入射面３ｃ１ａ（図６（Ｃ）参照）を透過し、柱状部３−２ａ１（図６（Ｃ）参照）によって導光された光が、柱状部３−２ａ１の先端部３−２ａ１ａ（図６（Ｃ）参照）によって反射され、柱状部３−２ａ１の側面部３−２ａ１ｂ（図６（Ｃ）参照）を透過し、リフレクタ４（図１参照）の反射面４ａからの反射光Ｌ１ｃとなって、概略光源１の光軸１’の方向（図１２（Ａ）の上側）に照射される。また、光源１の光軸１’と角度θｉ１をなして光源１から照射され、ブロック３ｉの入射面３ｉ１ａ（図６（Ｃ）参照）を透過し、柱状部３−２ａ１によって導光された光が、柱状部３−２ａ１の先端部３−２ａ１ａによって反射され、柱状部３−２ａ１の側面部３−２ａ１ｂを透過し、リフレクタ４の反射面４ａからの反射光Ｌ１ｉとなって、概略光源１の光軸１’の方向（図１２（Ａ）の上側）に照射される。
【０１０１】
また、第１の実施形態の照明装置１００では、図１３（Ａ）に示すように、光源１の光軸１’（図７（Ｃ）参照）と角度θｄ１をなして光源１から照射され、ブロック３ｄの入射面３ｄ１ａ（図７（Ｃ）参照）を透過し、柱状部３−２ａ１（図７（Ｃ）参照）によって導光された光が、柱状部３−２ａ１の先端部３−２ａ１ａ（図７（Ｃ）参照）によって反射され、柱状部３−２ａ１の側面部３−２ａ１ｂ（図７（Ｃ）参照）を透過し、リフレクタ４（図１参照）の反射面４ａからの反射光Ｌ１ｄとなって、概略光源１の光軸１’の方向（図１３（Ａ）の上側）に照射される。更に、光源１の光軸１’と角度θｊ１をなして光源１から照射され、ブロック３ｊの入射面３ｊ１ａ（図７（Ｃ）参照）を透過し、柱状部３−２ａ１によって導光された光が、柱状部３−２ａ１の先端部３−２ａ１ａによって反射され、柱状部３−２ａ１の側面部３−２ａ１ｂを透過し、リフレクタ４の反射面４ａからの反射光Ｌ１ｊとなって、概略光源１の光軸１’の方向（図１３（Ａ）の上側）に照射される。
【０１０２】
更に、第１の実施形態の照明装置１００では、図１４（Ａ）に示すように、光源１の光軸１’（図８（Ｃ）参照）と角度θｅ１をなして光源１から照射され、ブロック３ｅの入射面３ｅ１ａ（図８（Ｃ）参照）を透過し、柱状部３−２ａ１（図８（Ｃ）参照）によって導光された光が、柱状部３−２ａ１の先端部３−２ａ１ａ（図８（Ｃ）参照）によって反射され、柱状部３−２ａ１の側面部３−２ａ１ｂ（図８（Ｃ）参照）を透過し、リフレクタ４（図１参照）の反射面４ａからの反射光Ｌ１ｅとなって、概略光源１の光軸１’の方向（図１４（Ａ）の上側）に照射される。また、光源１の光軸１’と角度θｋ１をなして光源１から照射され、ブロック３ｋの入射面３ｋ１ａ（図８（Ｃ）参照）を透過し、柱状部３−２ａ１によって導光された光が、柱状部３−２ａ１の先端部３−２ａ１ａによって反射され、柱状部３−２ａ１の側面部３−２ａ１ｂを透過し、リフレクタ４の反射面４ａからの反射光Ｌ１ｋとなって、概略光源１の光軸１’の方向（図１４（Ａ）の上側）に照射される。
【０１０３】
また、第１の実施形態の照明装置１００では、図１５（Ａ）に示すように、光源１の光軸１’（図９（Ｃ）参照）と角度θｆ１をなして光源１から照射され、ブロック３ｆの入射面３ｆ１ａ（図９（Ｃ）参照）を透過し、柱状部３−２ａ１（図９（Ｃ）参照）によって導光された光が、柱状部３−２ａ１の先端部３−２ａ１ａ（図９（Ｃ）参照）によって反射され、柱状部３−２ａ１の側面部３−２ａ１ｂ（図９（Ｃ）参照）を透過し、リフレクタ４（図１参照）の反射面４ａからの反射光Ｌ１ｆとなって、概略光源１の光軸１’の方向（図１５（Ａ）の上側）に照射される。更に、光源１の光軸１’と角度θｍ１をなして光源１から照射され、ブロック３ｍの入射面３ｍ１ａ（図９（Ｃ）参照）を透過し、柱状部３−２ａ１によって導光された光が、柱状部３−２ａ１の先端部３−２ａ１ａによって反射され、柱状部３−２ａ１の側面部３−２ａ１ｂを透過し、リフレクタ４の反射面４ａからの反射光Ｌ１ｍとなって、概略光源１の光軸１’の方向（図１５（Ａ）の上側）に照射される。
【０１０４】
つまり、第１の実施形態の照明装置１００では、光源１の光軸１’の方向（図１（Ｂ）の下側、図１（Ｃ）の左側）から導光レンズ３およびリフレクタ４を見た時に、導光レンズ３の柱状部３−２ａ１，３−２ａ２，３−２ａ３，３−２ａ４，３−２ａ５，３−２ａ６，３−２ａ７，３−２ａ８，３−２ａ９，３−２ａ１０，３−２ａ１１，３−２ａ１２，３−２ａ１３，３−２ａ１４，３−２ａ１５，３−２ａ１６，３−２ａ１７，３−２ａ１８，３−２ａ１９，３−２ａ２０，３−２ａ２１，３−２ａ２２，３−２ａ２３，３−２ａ２４，３−２ａ２５が光って見えるのみならず、リフレクタ４の反射面４ａが光って見える。
【０１０５】
そのため、第１の実施形態の照明装置１００によれば、リフレクタ４が設けられていない場合や、光源１の光軸１’の方向（図１（Ｂ）の下側、図１（Ｃ）の左側）からリフレクタ４を見た時にリフレクタ４が光って見えない場合よりも、光源１の光軸１’の方向から照明装置１００を見た時に、光って見える部分の直径を大きくすることができる。
【０１０６】
詳細には、第１の実施形態の照明装置１００では、柱状部３−２ａ１の側面部３−２ａ１ｂからの光がリフレクタ４の反射面４ａによって反射されて照明装置１００の照射方向に照射されるのみならず、光源１（図１参照）の発光中心点以外の部分から照射され、導光レンズ３によって導光され、導光レンズ３から漏れ出た光も、リフレクタ４の反射面４ａによって反射されて照明装置１００の照射方向に照射される。
【０１０７】
第７の実施形態の照明装置１００では、代わりに、リフレクタ４を省略すると共に、柱状部３−２ａ１によって導光された光が柱状部３−２ａ１の先端部３−２ａ１ａを透過して照明装置１００の照射方向に照射されるように、柱状部３−２ａ１を形成することも可能である。
【０１０８】
第８の実施形態では、上述した第１から第７の実施形態を適宜組み合わせることも可能である。
【産業上の利用可能性】
【０１０９】
本発明の照明装置は、例えばヘッドランプ、フロントフォグランプなどのような照らすための車両用灯具ではなく、例えばストップランプ、テールランプ、ターンランプ、リアフォグランプ、デイタイムランニングランプなどのような見せるための車両用灯具、一般照明装置、遊技機用照明装置などに適用可能である。
【符号の説明】
【０１１０】
１                                        光源
１’                                      光軸
３                                        導光レンズ
３−１                                    入射側表面
３−２                                    入射側表面
３ａ，３ｂ                                ブロック
３ａ１ａ，３ｂ１ａ                        入射面
３ａ１ｂ，３ｂ１ｂ                        入射面
３ａ２ａ，３ｂ２ａ                        反射面
３−２ａ１，３−２ａ２，３−２ａ５        柱状部
３−２ａ１ａ，３−２ａ２ａ，３−２ａ５ａ  先端部
３−２ａ２ｂｏｕｔ，３−２ａ５ｂｏｕｔ    外径側端部
３−２ａ２ｂｉｎ，３−２ａ５ｂｉｎ        内径側端部
１００                                          照明装置
【図１】
2012119267.tif 000003
【図２】
2012119267.tif 000004
【図３】
2012119267.tif 000005
【図４】
2012119267.tif 000006
【図５】
2012119267.tif 000007
【図６】
2012119267.tif 000008
【図７】
2012119267.tif 000009
【図８】
2012119267.tif 000010
【図９】
2012119267.tif 000011
【図１０】
2012119267.tif 000012
【図１１】
2012119267.tif 000013
【図１２】
2012119267.tif 000014
【図１３】
2012119267.tif 000015
【図１４】
2012119267.tif 000016
【図１５】
2012119267.tif 000017
【図１６】
2012119267.tif 000018
【図１７】
2012119267.tif 000019
【図１８】
2012119267.tif 000020